(57)【要約】【課題】とくに薄い用紙２などにパンチ孔を開ける場合に、そのパンチカス１７を確実に吸い込み可能で、パンチ孔の位置や数に応じて、すべてのパンチカス１７を用紙２から分離して吸い込み回収可能な用紙のパンチカス吸込み装置を提供すること。【解決手段】従来のようにダイカット部のダイロール部分においてパンチカス１７の回収を行わずに、吸込み用貫通孔２６を形成した分離吸込みボックス２４を設け、分離吸込みボックス２４に形成する複数個の接続用開口部２７をパンチ孔の位置や数に応じて選択可能とすることに着目したもので、パンチカス１７を吸い込み可能な吸込み用貫通孔２６を形成した分離吸込みボックス２４と、分離吸込みボックス２４からパンチカス１７を吸引するための吸引用パイプ２５と、を設けたことを特徴とする。【選択図】図４
2009220224.tif 000002
【特許請求の範囲】
【請求項１】
ダイカット部により帯状の用紙に開けられたパンチ孔からそのパンチカスを分離して吸い込むための用紙のパンチカス吸込み装置であって、
前記ダイカット部の下流側において前記用紙に対向して位置させるとともに、前記パンチカスを吸い込み可能な吸込み用貫通孔を形成した分離吸込みボックスと、
この分離吸込みボックスに接続するとともに、この分離吸込みボックスから前記吸込み用貫通孔を介して前記パンチカスを吸引するための吸引用パイプと、
を設けるとともに、
前記分離吸込みボックスは、前記吸引用パイプを接続するための接続用開口部をその下面に複数個有し、これらの接続用開口部を任意に選択して前記吸引用パイプを接続可能としたことを特徴とする用紙のパンチカス吸込み装置。
【請求項２】
前記接続用開口部は、前記分離吸込みボックスの前記下面に、その幅方向において均等にこれを配置していることを特徴とする請求項１記載の用紙のパンチカス吸込み装置。
【請求項３】
前記接続用開口部は、前記分離吸込みボックスの前記下面に、その幅方向において前記分離吸込み用ボックスの幅方向中心に対して左右対称に、これを配置していることを特徴とする請求項１記載の用紙のパンチカス吸込み装置。
【発明の詳細な説明】
【技術分野】
【０００１】
本発明は用紙のパンチカス吸込み装置にかかるもので、とくに用紙に開けられたパンチ孔からそのパンチカスを分離して吸い込むための用紙のパンチカス吸込み装置に関するものである。
【背景技術】
【０００２】
従来の用紙のパンチカス吸込み装置について、図６および図７にもとづき概説する。
図６は、孔あき用紙の製造装置１の概略側面図であって、孔あき用紙の製造装置１は、必要な内容の印刷を行うとともに、たとえばファイル用の孔（パンチ孔８）を開けるためのもので、用紙２の供給部３と、印刷部４と、ダイカット部５と、用紙２の巻取り部６と、を有する。
【０００３】
供給部３は、たとえば糊を塗布していない帯状の用紙２をロール状に保持し、下流側の移送方向すなわち印刷部４方向に向かって用紙２を帯状に繰り出し可能である。
印刷部４は、用紙２に必要な印刷内容７を印刷する。
【０００４】
ダイカット部５は、用紙２の幅方向において必要部位に必要個数（たとえば図示の例では、一枚あたり四個）のパンチ孔８を開けるもので、ダイロール９と、アンビルロール１０（ダイ受けロール）と、パンチカス吸込み装置１１と、を有する。
図７は、ダイカット部５の部分の、とくにダイロール９部分を断面した断面説明図であって、ダイロール９は、その円周方向に上記パンチ孔８の形成位置に合わせて所定間隔および所定角度間隔でパンチ用貫通孔１２を形成し、その外部開口部にそれぞれカット刃１３を突出形成しているとともに、中央部に吸引通路１４を形成し、吸引用パイプ１５を介して真空吸引可能な吸引器１６に接続している。
【０００５】
パンチカス吸込み装置１１は、上述したダイロール９のパンチ用貫通孔１２、吸引通路１４、吸引用パイプ１５および吸引器１６を有する。
【０００６】
こうした構成の孔あき用紙の製造装置１およびパンチカス吸込み装置１１において、ダイカット部５におけるダイロール９およびアンビルロール１０によりパンチ孔８を形成し、カットしたパンチカス１７をダイロール９自体のパンチ用貫通孔１２および吸引通路１４から吸引用パイプ１５を介して吸引器１６に回収している。
【０００７】
しかしながら、とくに用紙２の厚さが薄い場合には、パンチカス１７がパンチ用貫通孔１２に入り込んでいかず、これを用紙２のパンチ孔８から完全に分離回収することが困難であり、最終製品としての用紙２のロールに混入してしまう危険性があり、パンチカス吸込み装置１１としての性能が安定しないという問題がある。
とくに、ダイロール９における吸引用パイプ１５から遠い位置に形成されるパンチ孔８からパンチカス１７を吸い込むことが困難であるという問題がある。
【０００８】
さらに、用紙２の種類およびそのサイズ、ならびにパンチ孔８の位置や数などに応じてダイロール９を交換する必要があり、とくにパンチ孔８の位置や数によっては、パンチカス１７の吸込み性能に差が出てしまうという問題がある。
【０００９】
【特許文献１】特開平１０−１５７７１５号公報
【発明の開示】
【発明が解決しようとする課題】
【００１０】
本発明は以上のような諸問題にかんがみなされたもので、用紙からのパンチカスを安定して回収可能な用紙のパンチカス吸込み装置を提供することを課題とする。
【００１１】
また本発明は、とくに薄い用紙などにパンチ孔を開ける場合に、そのパンチカスを確実に吸い込み可能である用紙のパンチカス吸込み装置を提供することを課題とする。
【００１２】
また本発明は、用紙に複数個のパンチ孔を開ける場合にも、そのパンチ孔の部位にかかわらず、すべてのパンチカスを用紙から分離して吸い込み回収可能な用紙のパンチカス吸込み装置を提供することを課題とする。
【００１３】
また本発明は、用紙に形成するパンチ孔の位置や数に応じて、すべてのパンチカスを用紙から分離して吸い込み回収可能な用紙のパンチカス吸込み装置を提供することを課題とする。
【課題を解決するための手段】
【００１４】
すなわち本発明は、従来のようにダイカット部のダイロール部分においてパンチカスの回収を行わずに、パンチカスを吸い込み可能な吸込み用貫通孔を形成した分離吸込みボックスをダイカット部の下流側に設けること、この分離吸込みボックスの下面に形成する複数個の接続用開口部をパンチ孔の位置や数に応じて選択可能とすることに着目したもので、ダイカット部により帯状の用紙に開けられたパンチ孔からそのパンチカスを分離して吸い込むための用紙のパンチカス吸込み装置であって、上記ダイカット部の下流側において上記用紙に対向して位置させるとともに、上記パンチカスを吸い込み可能な吸込み用貫通孔を形成した分離吸込みボックスと、この分離吸込みボックスに接続するとともに、この分離吸込みボックスから上記吸込み用貫通孔を介して上記パンチカスを吸引するための吸引用パイプと、を設けるとともに、上記分離吸込みボックスは、上記吸引用パイプを接続するための接続用開口部をその下面に複数個有し、これらの接続用開口部を任意に選択して上記吸引用パイプを接続可能としたことを特徴とする用紙のパンチカス吸込み装置である。
【００１５】
上記接続用開口部は、上記分離吸込みボックスの上記下面に、その幅方向において均等にこれを配置していることができる。
【００１６】
上記接続用開口部は、上記分離吸込みボックスの上記下面に、その幅方向において上記分離吸込み用ボックスの幅方向中心に対して左右対称に、これを配置していることができる。
【発明の効果】
【００１７】
本発明による用紙のパンチカス吸込み装置においては、分離吸込みボックスの下面に形成する複数個の接続用開口部をパンチ孔の位置や数に応じて選択可能としたので、用紙におけるパンチ孔の位置さらには数に応じて、吸引用パイプを接続する接続用開口部を適切な部位のものに選択し、より安定かつ確実な吸引性能を得ることができる。
【発明を実施するための最良の形態】
【００１８】
本発明は、パンチ孔の位置や数に応じて選択可能な複数個の接続用開口部を、分離吸込みボックスの下面に形成したので、パンチカスの吸引性能を安定して発揮可能な用紙のパンチカス吸込み装置を実現した。
【実施例】
【００１９】
つぎに本発明の実施例による用紙のパンチカス吸込み装置を図１ないし図４にもとづき説明する。ただし、図６および図７と同様の部分には同一符号を付し、その詳述はこれを省略する。
図１は、孔あき用紙の製造装置２０の概略側面図であり、孔あき用紙の製造装置２０は、用紙２の前記供給部３と、前記印刷部４と、前記ダイカット部５に相当するダイカット部２１と、上記実施例による用紙２のパンチカス吸込み装置２２と、用紙２の前記巻取り部６と、を有する。
【００２０】
ダイカット部２１は、用紙２の必要部位に必要個数のパンチ孔８を開けるもので、ダイロール２３と、アンビルロール１０（ダイ受けロール）と、を有し、図６および図７に示した従来の前記ダイロール９および前記パンチカス吸込み装置１１を設けてはいない。
図２は、ダイカット部２１の部分の、とくにダイロール２３部分を断面した断面説明図であって、ダイロール２３は中実のロール体であるが、前記ダイロール９と同様に、その円周方向に上記パンチ孔８の形成位置に合わせて所定間隔および所定角度間隔で前記カット刃１３を突出形成している。
【００２１】
パンチカス吸込み装置２２は、帯状の用紙２にパンチ孔８を開けた結果形成されるパンチカス１７を用紙２のパンチ孔８から分離して吸い込むためのものであって、分離吸込みボックス２４と、吸引用パイプ２５と、前記吸引器１６と、を有する。
【００２２】
図３は、分離吸込みボックス２４の平面図、図４は、図３のＩＶ−ＩＶ線断面図であって、分離吸込みボックス２４は、用紙２の幅方向に延びている中空の細長い直方体であって、用紙２の下面側に対向して位置させるとともに、パンチカス１７を吸い込み可能に前記パンチ孔８の数および位置に応じて必要な複数個の吸込み用貫通孔２６をその対向面（上面）に形成している。
【００２３】
とくに図４に示すように、分離吸込み用ボックス２４の底面（下面）には、用紙２の幅方向に均等、あるいは分離吸込み用ボックス２４の幅方向中心に対して左右対称に、複数個の接続用開口部２７を形成し、この接続用開口部２７に接続部２８を介して吸引用パイプ２５を接続可能としている。
図示の例では、吸引用パイプ２５の接続部２８の一対を分離吸込みボックス２４の下面中央部の接続用開口部２７にそれぞれ配置接続してある。
接続部２８を接続しない接続用開口部２７には閉鎖用蓋２９を取り付けて固定している。
【００２４】
吸引用パイプ２５は、分離吸込みボックス２４の中央部における左右の接続部２８に、その一対をそれぞれ接続するとともに、この分離吸込みボックス２４から吸込み用貫通孔２６を介して吸引器１６がパンチカス１７を吸引するためものである。
【００２５】
吸込み用貫通孔２６は、用紙２の幅方向に沿って分離吸込みボックス２４にこれを複数個形成する。
吸込み用貫通孔２６の配置形態としては、接続部２８に接近している中央部の吸込み用貫通孔２６を移送方向に沿って一列としてあるとともに、接続部２８からは遠い位置（図３中、左右両端部の位置）の吸込み用貫通孔２６は、用紙２の移送方向に沿って上流側および下流側に接近してこれを複数個（図３に示した例では二列に計四個）形成してある。
なお、吸込み用貫通孔２６自体は、パンチカス１７の直径よりはるかに大きな直径で開口しているテーパー孔部２６Ａと、テーパー孔部２６Ａに連続して分離吸込みボックス２４の吸込み空間３０につながっている連通孔部２６Ｂと、からなっており、パンチカス１７を吸込み空間３０に吸引しやすくしている。
【００２６】
こうした構成の孔あき用紙の製造装置２０およびパンチカス吸込み装置２２において、ダイカット部２１においてカットされたパンチカス１７は、まだこのカット工程では用紙２と一体的であり、パンチカス吸込み装置２２に至って分離吸込みボックス２４の吸込み用貫通孔２６の部分において分離吸込みボックス２４内に負圧により吸引されて用紙２から分離回収されることになる。
【００２７】
とくに図３に示すように、用紙２の四個（四行）のパンチ孔８のうち、左右両端部の二行に位置するパンチ孔８については、吸込み用貫通孔２６が用紙２の移送方向に沿って、上流側および下流側に二列に接近して形成されているので、用紙２の移送にともなってパンチカス１７自体が吸込み用貫通孔２６における吸引作用を二度受けることになるので、確実かつ安定して用紙２からパンチカス１７を吸引除去することができる。
したがって、接続部２８から比較的遠い部位に位置する左右両端部の吸込み用貫通孔２６では、負圧による吸引力が両端部側より弱いためにパンチカス１７が抜けにくい可能性があるが、吸込み用貫通孔２６における上述の二度の吸引作用により、接続部２８に比較的近い吸込み用貫通孔２６におけるパンチカス１７と同様に確実に吸引除去することができる。
【００２８】
さらに分離吸込みボックス２４には、接続用開口部２７が複数個形成されているので、用紙２の材質ないし種類、用紙２におけるパンチ孔８の数や位置（すなわち、分離吸込み用ボックス２４における吸込み用貫通孔２６の数や位置）、分離吸込み用ボックス２４の大きさや形状、その他ダイロール２３およびアンビルロール１０の配置形態などに応じて、分離吸込み用ボックス２４において任意の接続用開口部２７を選択することにより、吸引用パイプ２５ないしその接続部２８の配置位置を最適にして、吸引力の発生箇所を調整し、パンチ孔８に関する各種のパターンに応じてパンチカス１７の吸込み作用を安定化かつ確実化することができる。
【００２９】
たとえば、ダイカット部２１において、ダイロール２３およびアンビルロール１０の中央部では両端部に比較して押圧力がわずかに低く、パンチカス１７が抜けにくいという可能性がある場合、図３に示した例とは異なるパターンで、分離吸込み用ボックス２４に吸込み用貫通孔２６を形成することがある。
すなわち、図５は、吸込み用貫通孔２６の形成位置の変形例を示す分離吸込みボックス２４の平面図であって、分離吸込みボックス２４に形成する吸込み用貫通孔２６の位置として、図３の例とは逆に中央部に形成した吸込み用貫通孔２６を、用紙２の移送方向に沿って複数個（たとえば二列に計四個）形成している。
【００３０】
このような吸込み用貫通孔２６の形成位置に応じて吸引パイプ２５の接続部位（接続用開口部２７）を分離吸込みボックス２４の比較的両端部に近いものを選択し、分離吸込みボックス２４の吸込み空間３０内での吸引力ないし吸引特性を調整することができる。
【図面の簡単な説明】
【００３１】
【図１】本発明の実施例による用紙のパンチカス吸込み装置２２を有する孔あき用紙の製造装置２０の概略側面図である。
【図２】同、ダイカット部２１の部分の、とくにダイロール２３部分を断面した断面説明図である。
【図３】同、分離吸込みボックス２４の平面図である。
【図４】同、図３のＩＶ−ＩＶ線断面図である。
【図５】同、吸込み用貫通孔２６の形成位置の変形例を示す分離吸込みボックス２４の平面図である。
【図６】従来の孔あき用紙の製造装置１の概略側面図である。
【図７】同、ダイカット部５の部分の、とくにダイロール９部分を断面した断面説明図である。
【符号の説明】
【００３２】
１  孔あき用紙の製造装置（従来、図６）
２  用紙
３  供給部
４  印刷部
５  ダイカット部
６  巻取り部
７  印刷内容
８  パンチ孔
９  ダイロール
１０  アンビルロール
１１  パンチカス吸込み装置（従来、図７）
１２  パンチ用貫通孔
１３  カット刃
１４  吸引通路
１５  吸引用パイプ
１６  吸引器
１７  パンチカス
２０  孔あき用紙の製造装置（図１）
２１  ダイカット部
２２  用紙２のパンチカス吸込み装置（実施例、図３、図４）
２３  ダイロール
２４  分離吸込み用ボックス
２５  吸引用パイプ
２６  吸込み用貫通孔
２７  接続用開口部
２８  接続部
２９  閉鎖用蓋
３０  分離吸込み用ボックス２４の吸込み空間
【図１】
2009220224.tif 000003
【図２】
2009220224.tif 000004
【図３】
2009220224.tif 000005
【図４】
2009220224.tif 000006
【図５】
2009220224.tif 000007
【図６】
2009220224.tif 000008
【図７】
2009220224.tif 000009